(57)【要約】【課題】フレキシブルな編集機能が実現できる記録装置及び記録再生装置を提供する。【解決手段】ディスク状記録媒体に記録されるＡＶデータコンテンツに対して、コンテンツ間の時間的同期が可能な第１の参照形式で、ＡＶデータコンテンツを１対１で参照した参照動画データを記録し、さらにコンテンツ間の時間的同期が可能な第２の参照形式で、１個または複数個の第１の参照形式データもしくは１個又は複数個のＡＶデータコンテンツを参照した参照動画データを記録するよう構成する。【選択図】        図１
2005004833.tif 000002
【特許請求の範囲】
【請求項１】
記録媒体に画像データを記録可能な記録装置であって、
入力した画像データと前記画像データを参照する第１の参照形式データを記録する第１の記録手段と、
一つ又は複数の前記画像データ及び／又は一つ又は複数の前記第１の参照形式データを参照する前記第１の参照形式データとは異なる第２の参照形式データを記録する第２の記録手段を備えたことを特徴とする記録装置。
【請求項２】
請求項１において、前記第１の記録手段は前記画像データを入力して前記記録媒体に記録する動作に従って、前記第１の参照形式データを生成して前記記録媒体に記録することを特徴とする記録装置。
【請求項３】
請求項１において、前記第２の記録手段は前記記録媒体から読み出された前記画像データ及び前記第１の参照形式データに従って、前記第２の参照形式データを生成して前記記録媒体に記録することを特徴とする記録装置。
【請求項４】
請求項１において、前記第１の参照形式データを編集する編集手段と、前記第２の参照形式データを編集する編集手段とを更に備えたことを特徴とする記録装置。
【請求項５】
請求項４において、前記編集手段における編集動作は、前記画像データの分割、結合、部分削除のいずれか一つ以上の処理が可能であることを特徴とする記録装置。
【請求項６】
請求項１乃至５のいずれか一項において、前記第１の参照形式データは、記録された前記画像データを直接参照し、第１の時間座標系を有す第１のデータ構造と、該第１のデータ構造を参照することにより間接的に前記画像データを参照し、前記第１の時間座標系とは独立した第２の時間座標系を有す第２のデータ構造とからなるデータであることを特徴とする記録装置。
【請求項７】
請求項６において、前記第１の参照形式データはＱｕｉｃｋＴｉｍｅまたはその拡張形式であることを特徴とする記録装置。
【請求項８】
請求項１乃至５のいずれか一項において、第２の参照形式データとは前記記録媒体に記録された前記画像データを含むデータコンテンツの再生形態を記述する再生リストであることを特徴とする記録装置。
【請求項９】
請求項８において、前記第２の参照形式データはＳＭＩＬまたはその拡張形式であることを特徴とする記録装置。
【請求項１０】
請求項１乃至９のいずれか一項に記載した記録装置において、前記第１の参照形式データに従って前記画像データを再生する再生手段と、前記第２の参照形式データに従って前記画像データを再生する再生手段とを更に備えたことを特徴とする記録再生装置。
【請求項１１】
請求項１０において、前記記録媒体はディスク状の記録媒体であって、記録される前記画像データはＭＰＥＧ２方式で圧縮されることを特徴とする記録再生装置。
【発明の詳細な説明】
【０００１】
【発明の属する技術分野】
本発明は記録再生装置に関し、特にビデオカメラ等に用いて好適な書き換え可能な記録媒体を用いた画像の記録装置及び記録再生装置に関するものである。
【０００２】
【従来の技術】
近年、記録媒体として、半導体メモリカードやＤＶＤ等のディスク状の記録媒体（以下、ディスクと称す）を採用したカメラ一体型記録再生装置（以下、ビデオカメラと称す）が登場している。このようなビデオカメラでは、磁気テープには無かった記録媒体のランダムアクセス性を特徴にして、製品が構成されている。
【０００３】
例えば、上記のビデオカメラでは、撮影したシーンについて動画、静止画、或いは音声を各ファイルとしてディスク等に記録する。再生時は各ファイルにダイレクトにアクセスして、容易かつ高速な再生動作を行うことができる。
【０００４】
ところで、ディスクを用いたビデオカメラでは、記録開始から記録一時停止までの間に得られた動画データを１つのビデオクリップとして、ＭＰＥＧ２等で圧縮符号化し、１つのファイルにして保存する。ディスク上には複数のビデオクリップファイルが作成され、これらを連続して再生することにより記録された動画を再生する。またその他の再生形態として、再生するビデオクリップファイルとその順序を任意に指定することにより、簡易的な編集操作が行えるプレイリスト再生機能も実現されている。ビデオカメラにおいてこのようなプレイリストを生成する先行技術としては、特開２００２−１７５６８０号公報（特許文献１）などが既に知られている。
【０００５】
ここで、このような従来のビデオカメラの構成を概説する。図８は従来のディスクを用いたビデオカメラの撮影時の概略構成を示す図である。８０１はカメラ光学系であり、フォーカス、絞りなどの駆動系をカメラコントローラ８０５によって制御することにより、適正な焦点距離および露出で被写体を撮影する。８０２は撮像素子であり、ＣＣＤやＣＭＯＳなどによるセンサーによって入射光を電気信号に変換する。８０３はカメラ信号処理回路であり、撮像素子からの電気信号をＡ／Ｄ変換したのち、カラービデオ映像信号を生成する。８０４はビデオ符号化回路であり、デジタルビデオデータを圧縮符号化する。８０７はファイル生成回路であり、入力されたデジタルビデオデータからなる動画データファイルを生成する。８０８は誤り訂正符号化回路であり、デジタルデータの誤り訂正を行うためのパリティデータを付加する。８０９はデータ変調回路であり、デジタルデータを記録媒体に記録するための、例えば（１，７）ＲＬＬ符号やトレリス符号などの変調符号化を行う。磁界変調ドライバ８１０は、入力信号に応じて磁界ヘッド８１１を駆動して記録媒体８１３に磁界を印加する。光ピックアップ８１２は、入力信号に応じて、記録用のレーザービームを記録媒体８１３に照射する。ドライブコントローラ８１６は、システムコントローラ８１７からの要求で、ドライブサーボ回路８１５に信号を出力することにより、光ピックアップ８１２、モータ８１４を制御し、ドライブ全体を制御する。以上が、従来のディスクを用いたビデオカメラの構成の説明である。
【０００６】
【特許文献１】
特開２００２−１７５６８０号公報
【０００７】
【発明が解決しようとする課題】
しかしながら、従来のディスクを用いたビデオカメラ等の記録再生装置では、動画データファイルであるビデオクリップの分割や部分削除といったクリップ編集操作は、ＭＰＥＧ２ストリームで記録されたビデオクリップファイル自身の分割や部分削除によって実現されているため、可逆性がなく、また音声のアフレコ編集などではストリームデータ自身の書き換えが必要なため処理時間がかかるなどの問題があった。またプレイリスト再生機能においても、プログラム再生機能以上の高度な複数コンテンツの同期による編集などは不可能であり、機能として満足のいくものではなかった。
【０００８】
本発明は上記の問題点を鑑みてなされたものであり、フレキシブルな編集機能が実現できる記録装置及び記録再生装置を提供することを目的とする。
【０００９】
【課題を解決するための手段】
斯かる目的を達成する為の手段として、本発明は以下の構成からなる手段を有する。
【００１０】
本発明の記録装置は、記録媒体に画像データを記録可能な記録装置であって、入力した画像データと前記画像データを参照する第１の参照形式データを記録する第１の記録手段と、一つ又は複数の前記画像データ及び／又は一つ又は複数の前記第１の参照形式データを参照する前記第１の参照形式データとは異なる第２の参照形式データを記録する第２の記録手段を備えたことを特徴とする。
【００１１】
また、本発明の記録再生装置は、前記第１の参照形式データに従って前記画像データを再生する再生手段と、前記第２の参照形式データに従って前記画像データを再生する再生手段とを更に備えたことを特徴とする。
【００１２】
【発明の実施の形態】
以下、図面を参照しながら本発明の好適な実施の形態を説明する。尚、実際のビデオカメラでは映像信号とともに音声信号も記録するが、本実施の形態では映像信号についてのみ説明を行う。
【００１３】
図１はディスクを記録媒体として用いた本発明の記録再生装置の一例であるビデオカメラ装置１００の撮影時の概略構成を示す図である。図１において、１０１はカメラ光学系であり、フォーカス、絞りなどの駆動系をカメラコントローラ１０５によって制御することにより、適正な焦点距離および露出で被写体を撮影する。１０２は撮像素子であり、ＣＣＤやＣＭＯＳなどによるセンサーによって入射光を電気信号に変換する。１０３はカメラ信号処理回路であり、撮像素子からの電気信号をＡ／Ｄ変換したのち、カラービデオ映像信号を生成する。１０４はビデオ符号化回路であり、デジタルビデオデータをＭＰＥＧ２方式などで圧縮符号化する。１０７はファイル生成回路であり、入力されたデジタルビデオデータからなるデータコンテンツファイルを生成する。１０８は誤り訂正符号化回路であり、デジタルデータの誤り訂正を行うためのパリティデータを付加する。１０９はデータ変調回路であり、デジタルデータを記録媒体に記録するための、例えば（１，７）ＲＬＬ符号やトレリス符号などの変調符号化を行う。磁界変調ドライバ１１０は、入力信号に応じて磁界ヘッド１１１を駆動して記録媒体１１３に磁界を印加する。光ピックアップ１１２は、入力信号に応じて、記録用のレーザービームを記録媒体１１３に照射する。記録媒体１１３はディスク状の記録媒体であって、ＤＶＤやＢｌｕ−ｒａｙ等である。
【００１４】
ドライブコントローラ１１６は、システムコントローラ１１７からの要求で、ドライブサーボ回路１１５に信号を出力することにより、光ピックアップ１１２、モータ１１４を制御し、ドライブ全体を制御する。またシステムコントローラ１１７は参照データ生成回路１０６、ファイル生成回路１０７及び誤り訂正符号化回路１０８等をはじめ装置内の各部の動作制御をつかさどる制御回路である。
【００１５】
また、参照データ生成回路１０６はシステムコントローラ１１７の制御に従って、記録媒体１１３に記録されるデータコンテンツファイルを参照する参照形式の動画データを撮影／記録動作と並行して自動で生成し、これをファイル生成回路１０７によって参照形式動画ファイルとして生成し、データコンテンツファイルと同様に記録媒体１１３に記録する。ここでいう参照形式の動画ファイルとしては、例えば米国アップルコンピュータ社が提供するマルチメディアを扱うための機能「ＱｕｉｃｋＴｉｍｅ」（商標）におけるデータ記録形式（以下、単に「ＱｕｉｃｋＴｉｍｅ」と称す）をそのまま、または拡張して利用する。ＱｕｉｃｋＴｉｍｅを用いれば、ＡＶデータコンテンツを１対１で参照し、データコンテンツ間の時間的同期が可能である。
【００１６】
参照データ生成回路１０６で生成されるＱｕｉｃｋＴｉｍｅによるデータ参照形式の動画データの概要を図３に示す。図３において、３０１はＱｕｉｃｋＴｉｍｅによる参照形式の動画ファイルの構成である。３０２はムービーと呼ばれ、このファイル３０１によって参照される動画を時間によって管理したデータ構造である。ムービーの中には複数個のトラックを持つことができ、各トラックが実際に再生される各々のビデオデータに対応している。３０３はムービー中のあるトラックを示す。各トラックにはメディアと呼ばれるデータ構造を時系列に並べることができる。３０４はメディアと呼ばれるデータ構造であり、実際に記録媒体３０５に記録されているビデオデータコンテンツ３０６や３０７への参照をもっている。また、ムービーやメディアは独立した時間座標系を持つことができる。
【００１７】
図４は独立した時間座標系を示す図である。４０１のムービーはムービー先頭を基準とするムービー時間座標を持っているが、トラック４０２に収納されたメディア４０３はこれとは独立のメディア時間座標を持っていることを表わしている。
【００１８】
本実施の形態の記録再生装置ではムービーの記録時にＱｕｉｃｋＴｉｍｅのような参照形式でデータコンテンツを管理することによって、例えばムービーの部分削除や分割、結合といった編集操作においても、実際のビデオデータを変更することなく、参照形式データの更新によって実現することができる。この際、部分削除によって参照されなくなったデータコンテンツの一部を記録メディアから削除することも可能である。以上が図１のビデオカメラ装置１００に関連する説明である。
【００１９】
続いて、図２はディスクを記録媒体として用いた本発明の記録再生装置の一例であるビデオカメラ装置２００の再生時の概略構成を示す図である。なお、ビデオカメラ装置２００は前述したビデオカメラ装置１００と製品上では一体化された構成であって良い。
【００２０】
図２において、ドライブコントローラ２０９は、システムコントローラ２０８の要求によりドライブサーボ回路２１０に信号を入力し、光ピックアップ２１３、モータ２１２を制御することによって、ドライブ全体のデータ読み出しを制御する。記録媒体２１１はディスク状の記録媒体であって、ＤＶＤやＢｌｕ−ｒａｙ等である。
【００２１】
光ピックアップ２１３によって記録媒体２１１から読み取られたデータは、データ復調回路２０７によって記録信号から復調され、誤り訂正復号化回路２０６で記録媒体２１１の欠陥もしくは記録再生処理によって生じた誤りが訂正され、ファイル復号回路２０５で誤り訂正後のデータ列から、論理的ファイルフォーマットを復号する。
【００２２】
再生動作時にはシステムコントローラ２０８の指示により、再生すべき参照データが選択され、前述の読み出し過程を経て、参照データ復号回路２０４において、ＱｕｉｃｋＴｉｍｅの参照関係が復号される。そして、復号された参照関係にしたがって実際に再生すべきビデオデータコンテンツがシステムコントローラ２０８の指示によって記録媒体２１１から読み出され、各回路の処理を経たのちビデオ復号化回路２０３によってＭＰＥＧ２方式などで伸張復号化処理が行われる。復号されたデジタルビデオデータは、ビデオ出力信号処理回路２０２によってアナログもしくはデジタルのビデオ信号に変換され、端子２０１より不図示のモニタや外部の記録装置等へ出力される。以上が図２のビデオカメラ装置２００の説明である。
【００２３】
続いて、図５はディスクを記録媒体として用いた本発明の記録再生装置の一例であるビデオカメラ装置５００であり、該ビデオカメラ装置５００が備える、もう一つの参照形式の動画データであるプレイリストの編集およびプレイリストファイルの生成・記録の概略構成を示す図である。なお、ビデオカメラ装置５００は前述したビデオカメラ装置１００や２００と製品上では一体化された構成であって良く、前述した全ての機能や構成を同時に備えるものである。
【００２４】
図５において、５１４は編集操作入力回路であり、ユーザーによるビデオ編集の指示が入力される。システムコントローラ５１３はユーザーの指示に応じて、ドライブコントローラ５１２に要求を出し、ドライブサーボ回路５１１によって光ピックアップ５１０とモータ５０９を制御することによって、記録媒体５０８からディスク記録内容等、編集に必要な情報を読み出す。記録媒体５０８はディスク状の記録媒体であって、ＤＶＤやＢｌｕ−ｒａｙ等である。
【００２５】
光ピックアップ５１０によって記録媒体５０８から読み取られたデータは、データ変復調回路５０４によって記録信号から復調され、誤り訂正符号／復号化回路５０３で記録媒体５０８の欠陥もしくは記録再生処理によって生じた誤りが訂正され、ファイル復号回路５０５で誤り訂正後のデータ列から、論理的ファイルフォーマットを復号する。
【００２６】
システムコントローラ５１３は編集指示入力に従いながら、プレイリスト生成回路５０１に要求を出すことによってプレイリストデータを生成する。プレイリスト生成回路５０１はファイル復号回路５０５で復号されたデータコンテンツファイルや参照形式データ（ＱｕｉｃｋＴｉｍｅ）を参照しながら、データコンテンツや参照形式データ（ＱｕｉｃｋＴｉｍｅ）を編集し、プレイリストデータを生成する。生成されたプレイリストデータに基づいて、ファイル生成回路５０２によってプレイリストファイルが生成され、誤り訂正符号／復号化回路５０３、データ変復調回路５０４を経て、光ピックアップ５１０および磁界変調ドライバ５０６を経て磁界ヘッド５０７に入力され、ドライブコントローラ５１２およびドライブサーボ回路５１１の制御によって記録媒体５０８にプレイリストファイルが記録される。
【００２７】
ここで、プレイリスト生成回路５０１で生成するプレイリストデータの例としては、「ＳＭＩＬ」として知られる再生記述データなどがある。本実施の形態では、ＳＭＩＬをそのまま、または拡張して利用してプレイリストを生成する。このプレイリストによって、記録媒体に記録された動画及び音声に加え、静止画などのデータコンテンツを参照可能である。またプレイリスト生成回路５０１におけるプレイリスト編集作業によれば、データコンテンツやＱｕｉｃｋＴｉｍｅの編集を行い、結果的にデータコンテンツの分割、結合、部分削除などを行って再生させるよう編集することができる。
【００２８】
図７は単純化したＳＭＩＬ記述による生成されるプレイリストの例を示す図である。図７の例では“ｓｃｅｎｅ１．ｍｏｖ”、“ｓｃｅｎｅ２．ｍｏｖ”、“ｓｃｅｎｅ３．ｍｏｖ”が逐次再生されるよう記述されている。以上が図５のビデオカメラ装置５００に関連する説明である。
【００２９】
続いて、図６はディスクを記録媒体として用いた本発明の記録再生装置の一例であるビデオカメラ装置６００のプレイリストを用いた再生時の概略構成を示す図である。なお、ビデオカメラ装置６００は前述したビデオカメラ装置１００、２００及び５００と製品上では一体化された構成であって良く、前述した全ての機能や構成を同時に備えるものである。すなわち、ビデオカメラ装置６００は前述したＱｕｉｃｋＴｉｍｅ形式とプレイリスト形式とに同時に対応可能な再生機能を備える構成である。ＱｕｉｃｋＴｉｍｅ形式とプレイリスト形式とに同時に用いることによって、プレイリストによる編集機能を拡張でき、単独で用いるよりもフレキシブルな編集が行えるよう構成できる。
【００３０】
図６において、ドライブコントローラ６１０は、システムコントローラ６０９の要求によりドライブサーボ回路６１１に信号を入力し、光ピックアップ６１２、モータ６１３を制御することによって、ドライブ全体のデータ読み出しを制御する。記録媒体６１４はディスク状の記録媒体であって、ＤＶＤやＢｌｕ−ｒａｙ等である。
【００３１】
光ピックアップ６１２によって記録媒体６１４から読み取られたデータは、データ復調回路６０７によって記録信号から復調され、誤り訂正復号化回路６０６で記録媒体６１４の欠陥もしくは記録再生処理によって生じた誤りが訂正され、ファイル復号回路６０５で誤り訂正後のデータ列から、論理的ファイルフォーマットを復号する。
【００３２】
再生動作時にはシステムコントローラ６０９の指示により、まず再生すべきプレイリストファイルが選択され、前述の読み出し過程を経て、プレイリスト復号回路６０８において、ＳＭＩＬによる再生記述が復号される。そして、復号された参照関係に関する情報に従って実際に再生すべき参照形式データ（ＱｕｉｃｋＴｉｍｅ）がシステムコントローラ６０９の指示によって記録媒体６１４から読み出される。読み出された参照形式データ（ＱｕｉｃｋＴｉｍｅ）は、各回路の処理を経たのち参照データ復号回路６０４においてＱｕｉｃｋＴｉｍｅの参照関係が復号され、これにしたがって実際に再生すべきビデオデータコンテンツがシステムコントローラ６０９の指示によって記録媒体６１４から読み出され、各回路の処理を経たのちビデオ復号化回路６０３によってＭＰＥＧ２方式などで伸張復号化処理が行われる。復号されたデジタルビデオデータは、ビデオ出力信号処理回路６０２によってアナログもしくはデジタルのビデオ信号に変換され、端子６０１より不図示のモニタや外部の記録装置等へ出力される。以上が図６のビデオカメラ装置６００に関連する説明である。このように図６のビデオカメラ装置６００において、コンテンツ間の時間的同期が可能なプレイリスト等の参照形式の動画データで、記録媒体に記録された、一つまたは複数のＱｕｉｃｋＴｉｍｅ等の参照形式の動画データ及び／または複数個のＡＶデータコンテンツを参照するよう構成した。
【００３３】
このように本実施の形態における記録再生装置の構成によれば、記録媒体のフォーマットに直接関係の無い、ＱｕｉｃｋＴｉｍｅやプレイリストなどのファイルレベルの参照による参照形式データを同時に用いることによって、フレキシブルな編集機能が実現できる。
【００３４】
【発明の効果】
以上説明したように本発明によれば、記録再生装置に複数種の参照形式データファイルを同時に用いるよう構成したことで、ユーザーにフレキシブルな編集機能を提供できる。
【図面の簡単な説明】
【図１】本発明の記録再生装置の一形態であるビデオカメラ装置の記録に関する構成を示した図である。
【図２】本発明の記録再生装置の一形態であるビデオカメラ装置の再生に関する構成を示した図である。
【図３】ＱｕｉｃｋＴｉｍｅムービーの概略構成を説明するための図である。
【図４】ＱｕｉｃｋＴｉｍｅムービーの時間座標系を説明するための図である。
【図５】本発明の記録再生装置の一形態であるビデオカメラ装置のプレイリスト編集に関する構成を示した図である。
【図６】本発明の記録再生装置の一形態であるビデオカメラ装置のプレイリスト再生に関する構成を示した図である。
【図７】ＳＭＩＬによるプレイリストの構成例を示した図である。
【図８】従来のビデオカメラの構成例である。
【符号の説明】
１００  ビデオカメラ装置
１０６  参照データ生成回路
１０７  ファイル生成回路
１１１  磁界ヘッド
１１２  光ピックアップ
１１３  記録媒体
１１４  モータ
１１７  システムコントローラ
２００  ビデオカメラ装置
２０４  参照データ復号回路
２０５  ファイル復号回路
３０１  プレイリスト
３０２  ムービー
３０３  トラック
３０４  メディア
３０５  記録媒体
３０６  データコンテンツ
３０７  データコンテンツ
４０１  ムービー
４０２  トラック
４０３  メディア
５００  ビデオカメラ装置
５０１  プレイリスト生成回路
６００  ビデオカメラ装置
６０４  参照データ復号回路
６０８  プレイリスト復号回路
【図１】
2005004833.tif 000003
【図２】
2005004833.tif 000004
【図３】
2005004833.tif 000005
【図４】
2005004833.tif 000006
【図５】
2005004833.tif 000007
【図６】
2005004833.tif 000008
【図７】
2005004833.tif 000009
【図８】
2005004833.tif 000010